(57)【要約】【課題】カラーカード内にある薄い色で、塗装される被塗装物に付与する色のイメージを大まかに選択し、大まかに選択した色と同じカラーカード内にある色により、色を決定することができるカラーカードを提供する。【解決手段】３以上の複数の色見本を並べて示したカラーカード１１であって、その示された複数の色見本の内で、薄い色を示す淡色色見本１２が他の色を示す色見本の面積よりも大きいものである。また、前記淡色色見本１２の一方には、カラーカード１１内にある色の中で濃い色を示する濃色色見本１３があり、これとは異なる方には、前記淡色色見本１２と濃色色見本１３の中間的な色を示する中間色色見本１４があるものである。【選択図】　　図１
2004086183.tif 000002
【特許請求の範囲】
【請求項１】
３以上の複数の色見本を並べて示したカラーカードであって、
その示された複数の色見本の内で、最も薄い色を示す淡色色見本が他の色を示す色見本の面積よりも大きいことを特徴とするカラーカード。
【請求項２】
前記淡色色見本の一方には、カラーカード内にある色の中で最も濃い色を示する濃色色見本を配置し、
これとは異なる方には、前記淡色と濃色の中間的な色を示する中間色色見本を配置されたものを構成要素に持つことを特徴とする請求項１に記載のカラーカード。
【請求項３】
最も薄い色の淡色色見本の一方には、カラーカード内にある色の中で最も濃い色を示する濃色色見本を配置し、これとは異なる方には、前記淡色色見本と濃色色見本の中間的な色を示する中間色色見本を配置し、その色見本の中で淡色色見本が他の色を示す色見本の面積よりも大きいカラーカードであって、
前記濃色色見本及び／又は中間色色見本が複数色示され、その示された複数色の濃色色見本及び／又は中間色色見本により構成された濃色表示部及び／又は中間色表示部を形成し、
その形成された表示部内にある複数の色見本が淡色色見本の該当表示部のある端部側から離れるにしたがって、濃色表示部及び／又は中間色表示部内で濃い色を表示することを特徴とするカラーカード。
【請求項４】
中間色色見本の面積が濃色色見本の面積より大きいものであることを特徴とする請求項１ないし請求項３のいずれかに記載のカラーカード。
【請求項５】
請求項１ないし請求項４のいずれかに記載のカラーカードを複数枚組合せたことを特徴とするカラー見本帳。
【請求項６】
前記複数枚組合せが淡色色見本、濃色色見本及び中間色色見本のいずれかの色見本の色から受ける印象ごとにグループ化したものであることを特徴とする請求項５に記載のカラー見本帳。
【請求項７】
さらに、前記グループ化されたグループ別カラー見本帳を複数のグループ別カラー見本帳により構成させたことを特徴とする請求項５又は請求項６に記載のカラー見本帳。
【発明の詳細な説明】
【０００１】
【発明の属する技術分野】
この発明は、建築物などの構造物の塗装に用いられる塗料について、その塗料から得られる色を示したり、又、複数の色から希望する色を選択するためのカラーカード及びそれらを組合せたカラー見本帳に関するものである。
【０００２】
【従来の技術】
従来から、カラーカードやカラー見本帳による色の提案、選択を行ない、塗料の乾燥硬化した後の色を決定していることが多い。このカラーカードの多くは、マンセル値などにより数値化し、その数値化し、その数値を記号化し、その記号を色の見出しとして用い、その記号順に表示したものが多くある。
【０００３】
このマンセル値は、色を色相、明度、彩度に区分し、それぞれを数値化し、表したものである。このように色を記号として表したことにより、その記号によりある程度特定した色を選択することができる。つまり、色に付与されている記号が分かればその色をある程度特定することができるものである。
色に付与された記号により色を特定することができるため、色を表現する場合に、「〜っぽい色」「〜のような色」などのあいまいな表現を用いることなく、個人差がなく適確に色を特定することができる。
【０００４】
【発明が解決しようとする課題】
ところが、色を数値化し、記号化して並べたカラーカードやカラー見本帳は、その記号により色を特定するには、たいへん優れたものであるが、希望する色を適確に選択することが困難な場合がある。これは、色を数値化し、その値から順に並べてあるため、色の濃淡の違いなどによる色の微差により表示される色数が多くなる場合がある。
また、色から受けるイメージ毎に分けられたものではなく、色を数値により並べることにより、似ている色がカラーカードやカラー見本帳内で隣り合わせることが多く、希望する色を適確に選択することが困難な場合がある。
【０００５】
この発明は、上記のような従来技術に存在する問題点に着目してなされたものである。その目的とするところは、カラーカード内にある最も薄い色で、塗装される被塗装物に付与する色のイメージを大まかに選択し、大まかに選択した色と同じカラーカード内にある他の複数の色から色を決定することができるカラーカードを提供することにある。
【０００６】
【課題を解決するための手段】
上記の目的を達成するために、請求項１に記載の発明のカラーカードは、３以上の複数の色見本を並べて示したカラーカードであって、その示された複数の色見本の内で、最も薄い色を示す淡色色見本が他の色を示す色見本の面積よりも大きいものである。
【０００７】
請求項２に記載の発明のカラーカードは、請求項１に記載の発明において、前記淡色色見本の一方には、カラーカード内にある色の中で最も濃い色を示する濃色色見本を配置し、これとは異なる方には、前記淡色色見本と濃色色見本の中間的な色を示する中間色色見本を配置されたものを構成要素に持つものである。
【０００８】
請求項３に記載の発明のカラーカードは、最も薄い色の淡色色見本の一方には、カラーカード内にある色の中で濃い色を示する濃色色見本を配置し、これとは異なる方には、前記淡色と濃色の中間的な色を示する中間色色見本を配置し、その色見本の中で淡色色見本が他の色を示す色見本の面積よりも大きいカラーカードであって、前記濃色色見本及び／又は中間色色見本が複数色がされ、その示された複数色の濃色色見本及び／又は中間色色見本により構成された濃色表示部及び／又は中間色表示部を形成し、その形成された表示部内にある複数の色見本が淡色色見本の該当表示部のある端部側から離れるにしたがって、濃色表示部及び／又は中間色表示部内で濃い色を表示するものである。
【０００９】
請求項４に記載の発明のカラーカードは、請求項１ないし請求項３のいずれかに記載の発明において、中間色色見本の面積が濃色色見本の面積より大きいものである。
【００１０】
請求項５に記載の発明のカラー見本帳は、請求項１ないし請求項３のいずれかに記載のカラーカードを複数枚組合せたものである。
【００１１】
請求項６に記載の発明のカラー見本帳は、請求項４に記載の発明において、前記複数枚組合せが淡色色見本、濃色色見本及び中間色色見本のいずれかの色見本の色から受ける印象ごとにグループ化したものである。
【００１２】
請求項７に記載の発明のカラー見本帳は、請求項４又は請求項５に記載の発明において、前記グループ化されたグループ別カラー見本帳を複数のグループ別カラー見本帳により構成させたものである。
【００１３】
【発明の実施の形態】
以下、この発明の実施形態を詳細に説明する。
この発明は、３以上の複数の色見本を並べて示したカラーカードであって、その示された複数の色見本の内、最も薄い色を示す淡色色見本が他の色を示す色見本の面積よりも大きいものである。
【００１４】
このカラーカードは、１枚のカラーカードに３以上の複数の色見本を並べらものであり、塗料が乾燥硬化した後に形成される塗膜の色を選択、確認などを行なうものである。つまり、塗料により塗装される被覆物の塗装により得られる色を選択及び得られた色を確認するためのものである。
得られた色が塗装前に選択した色と同じであるかを確認する場合では、カラーカードに複数の色を示す必要はないが、塗装前に色を選択する場合、カラーカードに１色の色見本のみ示されているものでは、複数の色見本が示されているカラーカードに比べ、多くの枚数のカラーカードが必要となることになる。
【００１５】
この発明に記載されたカラーカードは、主として、塗装前に色を選択するものであるため、多くの色見本が示されているカラーカードであり、３以上の色見本が示されているものであることが必要である。３以上の色見本が示されていることにより色相が同じであるものであっても、明度が異なる色を示すことができる。つまり、同一の色相の濃色色見本、淡色色見本及び中間色色見本を１枚のカラーカードに示すことができるものとなる。
【００１６】
色は、例えば、色相、明度及び彩度により表現されるものである。主に、淡色、濃色の区別は、明度と彩度が影響するものである。この明度とは、色の明るさを表すもので、彩度は、色の鮮やかさを表すものである。明度が低い場合は、黒っぽい色のものを指し、高いものは、白っぽい色を指す。彩度が少ない場合は、黒っぽいくすんだ色のものを指し、大きいものは、鮮やかな色を指す。
【００１７】
この発明では、明度の高さにより、低いものを濃色、高いものを淡色として区別を行ない、明度の高さが同じである場合には、彩度の大きさで、少ないものを濃色、大きいものを淡色として区別を行なうものである。カラーカードを作成する際には、１枚のカラーカードに示す色を決める。その決められた色のうち、明度の最も高い色を淡色色見本に、低いものを濃色色見本に特定し、明度が同じであれば、彩度の少ないものを濃色、大きいものを淡色とする。そして、その中間的な色を中間色色見本とする。この中間色色見本は、淡色と濃色との間に位置するものであれば任意に決めることができる。
【００１８】
カラーカードに示された複数の色見本の内、最も薄い色を示す淡色色見本が他の色を示す色見本の面積よりも大きいものであることにより、希望するイメージに合う色を的確に選択することができる。つまり、淡色によりイメージに近い色を大まかに選んで、その大まかに選択した色が示されたカラーカードを選択する。そのイメージに近い色があるカラーカードを選択した後に、そのカラーカード内にある他の複数の色からイメージに合う色を選択し、決定することができる。
【００１９】
濃色色見本によりイメージに近い色を選択した場合では、色の違いを比較することは、簡単であるが、印象深い濃色を最初に選択することで、その選択した色より薄い色のものを選択することが難しいことが多い。それに比較して、淡色色見本によりイメージに近い色を選択した場合では、色の違いを判断することは、やや難しい面もあるが、淡色を最初に選択することにより、その選択した色より濃い色のものを選択することの方が簡単であり、そのことで、色の選択の幅が広がることになる。
【００２０】
さらに、淡色色見本によりイメージに近い色を選択する場合には、建築物などの構造物の色を選択することが多くあり、これは、その構造物の周りの環境や美観などを考慮することが多いことから、淡色を基本として選択することが多い。また、カラーカードに示された複数の色見本の内、この淡色は、濃色及び中間色に比べ、色が薄いため、他の色の影響を受け、見劣りするため、淡色を選択することが難しいことになる。そのため、淡色色見本の面積をカラーカード内で相対的に大きくすることにより、他の色見本にある色の影響を受け難くすることができる。
【００２１】
さらに、中間色色見本と濃色色見本とを比較した場合、中間色色見本の面積が濃色色見本の面積より大きいことが好ましい。そのことにより、濃色の影響を受けることが少ないカラーカードとなる。
選択決定する色は、実際、建築物などに付与する色より、１段階程度の濃い色を選択決定することが好ましい。これは、建築物などの大きい面積に色を付与する場合には、色見本など小面積で示された色より薄い色になったように感じることが多いためである。
【００２２】
次に、この発明のカラーカードの実施形態を図面に基づいて詳細に説明する。この発明のカラーカードは、矩形状のものであることが好ましい。矩形状であることにより、カラーカードの作成、保管、輸送などの効率が向上することがある。また、色見本の形状は、特に制限はないが、矩形状のものが好ましい。色見本の形状を矩形状にすることにより色見本の面積の違いが判り、矩形状のカラーカード内に効率的に示すことができる。
【００２３】
図１は、矩形の色見本を矩形状カラーカードに配置した一例を示したものである。カラーカード１１の中央部には、他の色見本より面積の大きい淡色色見本１２を配し、一方には、濃色色見本１３、これとは異なる方には、淡色と濃色の中間的な色を示した中間色色見本１４を配置したものである。この中間色色見本１４は、濃色色見本１３と比較して、面積が大きいものである。
【００２４】
このような形態のカラーカード１１を複数枚用意し、まず、面積が大きい淡色色見本１２によりイメージに近い色を大まかに選んで、カラーカード１１を選択する。選択されたカラーカード１１には、少なくとも濃色色見本１３と中間色色見本１４及び淡色色見本１２の３種類の色見本があり、その中からイメージに合う色を選択し、決定する。
【００２５】
また、色見本の配置は、図１に示したものだけではなく、図２に示したようなカラーカードの形態であっても良く、淡色色見本１２を中心に配置したものであれば良い。このような形態にすることにより、淡色色見本と他の色見本を比較することが簡単にでき、イメージに合う色の選択決定が容易なものとなる。
各色見本間の隙間１５を設けることが好ましい。隙間１５を設けることにより、各色見本の境界がはっきし、カラーカードにある複数の色を区別することが容易なものとなる。また、この隙間１５の色は、そのカラーカードにない色であれば良く、淡色、濃色の区別のない、白色などが好ましい。また、透明であっても良い。
【００２６】
また、カラーカードの端に空白部１６を設けることが好ましい。この端にある空白部１６は、カラーカードを手で触る場合などに利用することができ、カラーカードにある色見本に触れることなくカラーカードを扱うことができる。カラーカードに手などで頻繁に触れたことにより手垢などで色見本が汚れることがあり、その色が変化することがある。
【００２７】
また、複数枚のカラーカードを綴じる場合にも用いることができる。この空白部１６をカラーカードの綴じ代とすることにより、色見本を傷つけることなく綴じることができる。
このように空白部１６を利用することができるため、２箇所以上あることが好ましいことになる。２箇所以上あることにより、１つの空白部１６を利用してカラーカードを複数枚の綴じたカラー見本帳を作成した場合、もう１つ以上の空白部１６を利用してカラーカードを扱うことができる。
【００２８】
さらに、図３には、濃色色見本１３ａ〜１３ｃ、中間色色見本１４ａ〜１４ｃの複数の色見本を並べ、濃色表示部１７及び中間色表示部１８を形成させたカラーカードを示す。
このカラーカードに示されている７色のうち最も薄い色の色見本を淡色色見本１２とし、最も濃い色の濃色色見本１３ｃ及び中間の色の中間色色見本１４ｃを特定する。この中間色見本１４ｃと中間色見本１４ｃから淡色色見本１２の間の色を中間色表示部１８に表示し、中間色色見本１４ａ、中間色色見本１４ｂとする。また、濃色色見本１３ｃと濃色色見本１３ｃから中間色見本１４ｃの間の色を濃色表示部１７に表示し、濃色色見本１３ａ、濃色色見本１３ｂとする。
【００２９】
この濃色表示部１７には、濃色色見本１３ａ〜１３ｃの３種類の色見本により構成されるものである。これら３種類の色見本のうち、淡色色見本１２の一方に隣接する濃色色見本１３ａが濃色表示部１７にある濃色色見本１３ａ〜１３ｃのうちで一番薄い色のものである。
そして、濃色色見本１３ａに隣接する濃色色見本１３ｂは、濃色色見本１３ａより濃く、濃色色見本１３ｃより薄い色のものであり、濃色色見本１３ｃが濃色色見本１３ａ〜１３ｃのうちで一番濃い色のものである。つまり、複数の濃色色見本１３ａ〜１３ｃが淡色色見本端部側から離れるにしたがって、濃色表示部内１７で濃い色を表示するものである。
【００３０】
また、中間色表示部１８には、中間色色見本１４ａ〜１４ｃの３種類の色見本により構成されるものである。これら３種類の色見本のうち、淡色色見本１２の濃色色見本表示部１７と異なる一方に隣接する中間色色見本１４ａが中間色表示部１８にある中間色色見本１４ａ〜１４ｃのうちで一番薄い色のものである。
そして、中間色色見本１４ａに隣接する中間色色見本１４ｂは、中間色色見本１４ａより濃く、中間色色見本１４ｃより薄い色のものであり、中間色色見本１４ｃが中間色色見本１４ａ〜１４ｃのうちで一番濃い色のものである。つまり、複数の中間色色見本１４ａ〜１４ｃが淡色色見本端部側から離れるにしたがって、中間色表示部内１８で濃い色を表示するものである。
【００３１】
図３に示されたカラーカード１１は、淡色色見本１２の一方に濃い色を示する濃色色見本を配置し、これとは異なる方には、前記淡色と濃色の中間的な色を示する中間色色見本を配置し、その色見本の中で淡色色見本１２が他の色を示す色見本の面積よりも大きいカラーカードであり、濃色色見本１３ａ〜１３ｃ及び中間色色見本１３ａ〜１３ｃが複数色を並べ示され、その複数色の濃色色見本１３ａ〜１３ｃ及び中間色色見本１４ａ〜１４ｃにより構成された濃色表示部１７及び中間色表示部１８を形成し、その形成された表示部内にある複数の色見本が淡色色見本の該当表示部のある端部側から離れるにしたがって、濃色表示部１７及び中間色表示部１４ａ〜１４ｃ内で濃い色を表示するものであるもので、カラーカード１１の中心にある淡色色見本１２から外側に向かって段階的に濃い色の色見本を示すことになり、見やすいカラーカードであり、色見本が重なることなく示すことができるものである。
【００３２】
このようなカラーカードにすることにより、１つのカラーカードに多くの色を示すことができる。
また、複数枚のカラーカード１１から面積が大きい淡色色見本１２によりイメージに近い色を大まかに選んで、カラーカード１１を選択した後、そのカラーカード１１にある淡色色見本１２を中心とし、その淡色より濃い色を順に選択することができ、イメージに合う色を適切に決定することができる。
【００３３】
図３に示したカラーカード１１を複数枚組合せたカラー見本帳を図４に示す。このカラー見本帳は、複数枚のカラーカード１１を止め具１９により綴じたものである。このように複数枚のカラーカードをまとめることにより、多くのカラーカードを持ち運びが容易なものとすることができ、多くの色から色の選択が容易にできるものとなる。
【００３４】
図４に示されたカラー見本帳は、カラーカードの端にある空白部１６のほぼ中央部の１箇所を止め具１９により綴じたものである。この止め具１９の位置は、特に制限があるものではないが、カラーカードにある空白部１６にあれば良く、このように綴じることにより、色見本を傷つけることなく綴じることができる。また、１箇所だけで綴じることにより、図４に示したように複数のカラーカード１１を扇状に広げることができ、見易すく、色の選択が容易なものとなる。
【００３５】
カラー見本帳を構成する複数のカラーカードは、任意に選択したものでも良いが、淡色色見本、濃色色見本及び中間色色見本のいずれかの色見本の色から受ける印象ごとにグループ化したものが好ましい。
このように色から受ける印象ごとにグループ化することにより、色の選択が迅速に行なうことができることがある。このグループは、赤系、青系などのように色の系統別としたもの、ナチュラル、モダン、クラシックなどと言った雰囲気を代表するもの、中間色彩、くすみ系の色彩、明るい色彩などと言った色の明るさ別にしたものなどがある。
【００３６】
このように色から受ける印象ごとにグループ別見本帳を用いることにより、前もってイメージしている色から受ける印象によりカラー見本帳を選択することができるため、色の選択及び決定が容易で、速いものとなる。
また、上記のようなグループ別見本帳を複数集めたものであることがより好ましい。このようにすることにより、前もって色のイメージがない場合には、より多くの色がイメージ別にグループ化されているため、まず、イメージによりある程度の色を絞り込み、そのグループを決め、決められたグループにある複数のカラーカードの淡色色見本により大まかに色を選択し、その淡色色見本により選択したカラーカードにある色から、イメージとした色を効率的で、適確に決定することができるものである。
【００３７】
この複数のグループ別カラー見本帳は、各グループ別カラー見本帳を止め具などにより１つにまとめた形態や別々にあるグループ別カラー見本帳を１つの容器に収めた形態などがある。この形態については、利用者が適宜選択することができるものである。
以上のように、この実施形態によれば次のような効果が発揮される。
【００３８】
・　３以上の複数の色見本を並べて示したカラーカードであって、その示された複数の色見本の内で、最も薄い色を示す淡色色見本が他の色を示す色見本の面積よりも大きいものであることにより、カラーカード内にある最も薄い色で、塗装される被塗装物に付与する色のイメージを大まかに選択し、大まかに選択した色と同じカラーカード内にある他の複数の色から色を決定することができるものである。
【００３９】
また、淡色によりイメージに近い色を大まかに選んで、その大まかに選択した色が示されたカラーカードを選択し、そのカラーカード内にある色からイメージに合う色を選択し、決定することができるので、希望するイメージに合う色を的確に選択することができる。
さらに、カラーカードに示された複数の色見本の内、この淡色は、濃色及び中間色に比べ、色が薄いため、他の色の影響を受け、見劣りするため、淡色を選択することが難しいことになる。そのため、淡色色見本の面積をカラーカード内で相対的に大きくすることにより、他の色見本の色の影響を受け難くすることができる。
【００４０】
・　前記淡色色見本の一方には、カラーカード内にある色の中で最も濃い色を示する濃色色見本を配置し、これとは異なる方には、前記淡色色見本と濃色色見本の中間的な色を示する中間色色見本を配置されたものを構成要素に持つものであることにより、淡色色見本と他の色見本を比較することが簡単にでき、イメージに合う色の選択決定が容易なものとなる。
【００４１】
・　最も薄い色の淡色色見本の一方には、カラーカード内にある色の中で濃い色を示する濃色色見本を配置し、これとは異なる方には、前記淡色と濃色の中間的な色を示する中間色色見本を配置し、その色見本の中で淡色色見本が他の色を示す色見本の面積よりも大きいカラーカードであって、前記濃色色見本及び／又は中間色色見本が複数色示され、その示された複数色の濃色色見本及び／又は中間色色見本により構成された濃色表示部及び／又は中間色表示部を形成し、その形成された表示部内にある複数の色見本が淡色色見本の該当表示部のある端部側から離れるにしたがって、濃色表示部及び／又は中間色表示部内で濃い色を表示するものであることにより、１つのカラーカードに多くの色を示すことができる。
【００４２】
また、面積が大きい淡色色見本によりイメージに近い色を大まかに選んで、そのカラーカードにある淡色色見本を中心とし、その淡色より濃い色を順に選択することができ、イメージに合う色を適切に決定することができる。
さらに、淡色色見本から離れるにしたがって段階的に濃い色の色見本を示すことになり、見やすいカラーカードであり、色見本が重なることなく示すことができるものである。
【００４３】
・　中間色色見本の面積が濃色色見本の面積より大きいものであることにより、濃色の影響を受けることが少ないカラーカードとなる。
・　請求項１ないし請求項４のいずれかに記載のカラーカードを複数枚組合せたものであることにより、多くのカラーカードを持ち運びが容易なものとすることができ、多くの色から色の選択が容易にできるものとなる。
【００４４】
・　前記複数枚組合せが淡色色見本、濃色色見本及び中間色色見本のいずれかの色見本の色から受ける印象ごとにグループ化したものであることにより、前もってイメージしている色から受ける印象によりカラー見本帳を選択することができるため、色の選択及び決定が容易で、速いものとなる。
【００４５】
・　前記グループ化されたグループ別カラー見本帳を複数のグループ別カラー見本帳により構成させたものであることにより、前もって色のイメージがない場合には、より多くの色がイメージ別にグループ化されているため、まず、イメージによりある程度の色を絞り込み、そのグループを決め、決められたグループにある複数のカラーカードの淡色色見本により大まかに色を選択し、その淡色色見本により選択したカラーカードにある色から、イメージとした色を効率的で、適確に決定することができるものである。
【００４６】
・　前記カラーカードが矩形状のもので、色見本の形状が矩形状のものであることにより、カラーカードの作成、保管、輸送などの効率が向上するものであり、また、色見本の面積の違いが判り、矩形状のカラーカード内に効率的に示すことができるものである。
・　前記カラーカードの各色見本間に隙間を設けることにより、各色見本の境界がはっきし、カラーカードにある複数の色を区別することが容易なものとなる。
【００４７】
・　前記カラーカードの端に空白部を設けることにより、色見本に触れることなくカラーカードを扱うことができる。また、複数枚のカラーカードを綴じる場合にも用いることができ、色見本を傷つけることなく綴じることができるものである。
次に、前記実施形態から把握できる技術的思想について以下に記載する。
【００４８】
・　前記カラーカードが矩形状のもので、色見本の形状が矩形状のものであることを特徴とする請求項１ないし請求項３のいずれかに記載のカラーカード。
このことにより、カラーカードの作成、保管、輸送などの効率が向上するものであり、また、色見本の面積の違いが判り、矩形状のカラーカード内に効率的に示すことができるものである。
【００４９】
【発明の効果】
この発明は、以上のように構成されているため、次のような効果を奏する。
請求項１に記載の発明のカラーカードによれば、カラーカード内にある薄い色で、塗装される被塗装物に付与する色のイメージを大まかに選択し、大まかに選択した色と同じカラーカード内にある色により、色を決定することができるものである。
【００５０】
請求項２に記載の発明のカラーカードによれば、請求項１に記載の発明の効果に加え、淡色色見本と他の色見本を比較することが簡単にでき、イメージに合う色の選択決定が容易なものとなる。
【００５１】
請求項３に記載の発明のカラーカードによれば、１つのカラーカードに多くの色を示すことができ、また、面積が大きい淡色色見本によりイメージに近い色を大まかに選んで、そのカラーカードにある淡色色見本を中心とし、その淡色より濃い色を順に選択することができ、イメージに合う色を適切に決定することができる。
【００５２】
請求項４に記載の発明のカラーカードによれば、請求項１ないし請求項３のいずれかに記載の発明の効果に加え、濃色の影響を受けることが少ないカラーカードとなる。
【００５３】
請求項５に記載の発明のカラー見本帳によれば、多くのカラーカードを持ち運びが容易なものとすることができ、多くの色から色の選択が容易にできるものとなる。
【００５４】
請求項６に記載の発明のカラー見本帳によれば、請求項４に記載の発明の効果に加え、前もってイメージしている色から受ける印象によりカラー見本帳を選択することができるため、色の選択及び決定が容易で、速いものとなる。
【００５５】
請求項７に記載の発明のカラー見本帳によれば、請求項４又は請求項５に記載の発明の効果に加え、前もって色のイメージがない場合には、より多くの色がイメージ別にグループ化されているため、まず、イメージによりある程度の色を絞り込み、そのグループを決め、決められたグループにある複数のカラーカードの淡色色見本により大まかに色を選択し、その淡色色見本により選択したカラーカードにある色から、イメージとした色を効率的で、適確に決定することができるものである。
【図面の簡単な説明】
【図１】カラーカードの一例
【図２】カラーカードの一例
【図３】濃色表示部及び中間色表示部を形成させたカラーカードの一例
【図４】図３に示したカラーカードを複数枚組合せたカラー見本帳
【符号の説明】
１１…カラーカード。１２…淡色色見本。１３…濃色色見本。１４…中間色色見本。１５…隙間。１６…空白部。１７…濃色表示部。１８…中間色表示部。１９…止め具。
【図１】
2004086183.tif 000003
【図２】
2004086183.tif 000004
【図３】
2004086183.tif 000005
【図４】
2004086183.tif 000006